(57)【要約】【課題】本発明は、建造物に設置する換気口における屋内の温風と屋外の寒風との接触によって起る取付管と取付筒体との間の間隙部分に発生する結露水の排出を常に円滑に行うことを目的とする。【解決手段】本発明は、建物外壁に設けた通口部に設置する取付管Ａの外側端部の一部にスペーサー２０を固着し、このスペーサーの外端部の下側中央部には切欠溝２２を形成し、他方、多数の通気口６を設けた通気板５の取付面部９の下側部中央に排水口１０を設け、この排水口に対応してフード体１５の開口部下方の取付面部に排水案内口１９を設け、これら排水口及び排水案内口を前記スペーサーの切欠溝に連通し、前記取付管と外壁との間に発生する結露水を集中して排出し得るようにし、前記通気板の取付面部の内周面部に当接した周枠板１３の下側中央部には傾斜凹部１４を形成して成るものである。【選択図】　　図６
2004019294.tif 000002
【特許請求の範囲】
【請求項１】
建物外壁に設けた通口部に設置する取付管の外側端部の一部にスペーサーを固着し、このスペーサーの外端部の下側中央部には切欠溝を形成し、他方、多数の通気口を設けた通気板の取付面部の下側部中央に排水口を設け、この排水口に対応してフード体の開口部下方の取付面部に排水案内口を設け、これら排水口及び排水案内口を前記スペーサーの切欠溝に連通し、前記取付管と外壁との間に発生する結露水を集中して排出し得るようにし、前記通気板の取付面部の内周面部に当接した周枠板の下側中央部には傾斜凹部を形成して成ることを特徴とする建物用換気口。
【発明の詳細な説明】
【０００１】
【発明の属する技術分野】
本発明は、建物用換気口に関するものである。
【０００２】
【従来の技術】
本発明に係る出願人は、これまで特許第２８１６６６５号や特願２０００−１８４６０８に係る換気口を発明しているが、寒冷地における使用者の声には、換気口においては、屋内の温風と屋外の寒風とが接触合流するため、建物外壁の取付管とフードの取付筒体との間の間隙部分に発生する水滴が結露して凍結する現象が、十分に改善されていないという欠点の指摘があった。
【０００３】
【発明が解決しようとする課題】
そこで、本発明は、換気口内部に発生する水滴を停留させることなく、常にスムースに流出せしめる構造の換気口に改良し、結露水の発生による凍結を防止することを目的とするものである。
【０００４】
【課題を解決するための手段】
本発明は、建物外壁に設けた通口部に設置する取付管の外側端部の一部にスペーサーを固着し、このスペーサーの外端部の下側中央部には切欠溝を形成し、他方、多数の通気口を設けた通気板の取付面部の下側部中央に排水口を設け、この排水口に対応してフード体の開口部下方の取付面部に排水案内口を設け、これら排水口及び排水案内口を前記スペーサーの切欠溝に連通し、前記取付管と外壁との間に発生する結露水を集中して排出し得るようにし、前記通気板の取付面部の内周面部に当接した周枠板の下側中央部には傾斜凹部を形成して成るものである。
【０００５】
【発明の実施の形態】
いま建物の外壁に設けた通口部に本換気口を設置するときは、通口部に設置した取付管の外側端部の一部にスペーサーを係合接着した後、このスペーサーに本器の取付筒体を嵌着する。すると、取付筒体の外周部に密接した発条爪が前記取付管の内周面に当接して固定するようになる。
【０００６】
このスペーサーの設置と発条爪とによって、スペーサーの外端部は取付筒体の周鍔部に当接して嵌着するか、スペーサーの外端部下側に設けた切欠溝から、取付筒体と取付管との間に発生した結露水が流下する。したがって、取付筒体と取付管との間に発生した結露水は、スペーサーの切欠溝から落下して周枠板の傾斜凹部に流れ、他方、取付筒体内部からは結露水は、通気板の取付面部に設けた排水口及びフード体の排水案内口を通過し、通気板の取付段部周囲のガイド板に落下して屋外に排出されるようになる。
【０００７】
【実施例】
１は内外両側面に開口部２，２’を有し外側開口部に周鍔部３を形成した取付筒体で、この取付筒体は建造物の外壁ａ適所に設けた通口部ｂに設置する塩ビ製の取付管Ａに対して、その周面部に外側方に突設した発条爪４・・を介して取付けられる。
【０００８】
５は多数の通気口６を設けるとともに各通気口に下向きの切起し羽根７を設けた通気板で、この通気板の最下位の通気口６の下辺中央部には垂れ口８を設ける。
【０００９】
前記通気板５の内側部には網板を設けてもよい。
【００１０】
９は前記通気板５の周面部に形成した取付面部で、この取付面部の内側面部には前記取付筒体１の周鍔部３を固着する。
【００１１】
１０は前記取付面部９の下側面部中央に設けた排水口で、この排水口は比較的大きく成り、前記通気板の垂れ口８の下方部に位置する。
【００１２】
１１は前記通気板５の全周縁部に形成した取付段部で、この取付段部の中央部付近からは下側部全面にかけて斜め下方にガイド板１２を形成する。
【００１３】
１３は前記通気板５の取付面部９の内周面部に固着した周枠板で、この周枠板の下側中央部には前記通気板５の取付面部９の排水口１０に対応する位置に傾斜凹部１４を形成して当接する。
【００１４】
１５は前記通気板５の外側方に被套する開口部１８を有する任意形状に成るフード体で、このフード体の取付面部１６と周縁段部１７は、前記通気板５の取付面部９及び取付段部１１に嵌合して固着するように成る。
【００１５】
１９は前記フード体１５の取付面部１６の下側中央部に設けた排水案内口で、この排水案内口は前記通気板５の排水口１０に一致して位置し、この排水口に落下した結露水を外部に排出する案内をする。
【００１６】
２０は前記取付管Ａの外側部の内周面部の下半部分に形成した係段部２１を介して係合接着するスペーサーで、このスペーサーの外端中央部には切欠溝２２を形成する。このスペーサーの形状は図２に示している。
【００１７】
２３は前記スペーサー２０の設置と発条爪４・・によって取付筒体１とスペーサー２０との間に形成される間隔部で、この間隔部は前記スペーサーの外端部の下側中央部に形成した切欠溝２２との間に形成した間隙部２４に連通するように成る。
【００１８】
【発明の効果】
本発明に係る換気口は寒冷地域の建造物に設置した場合でも、屋内から排出される暖気が屋外の寒気に接した時に発生する水滴を確実に強制的に外部に排出することができるようにするものであるから、建物の外壁の通口部に設置した取付管の内部や取付筒体との間隔部に発生しようとする水滴の結露を、円滑な排水作用を促進することによって防止することができ、凍結によって起こる取付管の亀裂や破裂の発生を確実に阻止することができるようになる。
【図面の簡単な説明】
【図１】全体を構成する各部材の斜視図
【図２】要部を分離した斜視図
【図３】全体の組立て状態を示した正面図
【図４】全体の組立て状態を示した背面図
【図５】図３Ａ−Ａ線の断面図
【図６】要部の拡大断面図
【符号の説明】
Ａ　　　　　　　　取付管
１　　　　　　　　取付筒体
３　　　　　　　　周鍔部
４・・　　　　　　発条爪
５　　　　　　　　通気板
９　　　　　　　　取付面部
１０　　　　　　　排水口
１１　　　　　　　取付段部
１２　　　　　　　ガイド板
１３　　　　　　　周枠板
１４　　　　　　　傾斜凹部
１５　　　　　　　フード体
１９　　　　　　　排水案内口
２０　　　　　　　スペーサー
２２　　　　　　　切欠溝
２３　　　　　　　間隔部
２４　　　　　　　間隙部
【図１】
2004019294.tif 000003
【図２】
2004019294.tif 000004
【図３】
2004019294.tif 000005
【図４】
2004019294.tif 000006
【図５】
2004019294.tif 000007
【図６】
2004019294.tif 000008